(57)【要約】      （修正有）【課題】簡易な構成で軽量且つ小型の混合食品製造機を提供する。【解決手段】混合食品製造機１であって、破砕可能食品を収容可能に構成され破砕食品を底壁開口から下方に排出可能な破砕可能食品収容部２１が上部に形成され、外部の攪拌可能食品収容容器Ａの上端開口を被覆可能な被覆部２２が下部に形成された装置本体２と、装置本体に装着され、破砕可能食品収容部に収容された破砕可能食品を破砕可能に構成された破砕機構４０とを設ける。さらに、装置本体に装着され、被覆部で外部の攪拌可能食品収容容器の上端開口を被覆した状態で、当該外部の攪拌可能食品収容容器に収容された攪拌可能食品と、破砕可能食品収容部から排出された破砕食品とを攪拌可能な攪拌機構５０と、破砕機構４０及び攪拌機構を動作させる操作部材と、を備えている。【選択図】図２
0003174861.tif 000002
【実用新案登録請求の範囲】
【請求項１】
破砕可能食品を収容可能に構成され破砕食品を底壁開口から下方に排出可能な破砕可能食品収容部が上部に形成され、外部の攪拌可能食品収容容器の上端開口を被覆可能な被覆部が下部に形成された装置本体と、
前記装置本体に装着され、前記破砕可能食品収容部に収容された前記破砕可能食品を破砕可能に構成された破砕機構と、
前記装置本体に装着され、前記被覆部で前記外部の前記攪拌可能食品収容容器の上端開口を被覆した状態で、当該外部の攪拌可能食品収容容器に収容された前記攪拌可能食品と、前記破砕可能食品収容部から排出された前記破砕食品とを攪拌可能な攪拌機構と、
前記破砕機構及び前記攪拌機構を動作させる操作部材と、
を備えていることを特徴とする混合食品製造機。
【請求項２】
前記被覆部は、前記攪拌可能食品収容容器の上端開口の縁部に装着可能に構成され、装着状態で当該攪拌可能食品収容容器の上端開口を閉塞する蓋部として構成されていること、
を特徴とする請求項１に記載の混合食品製造機。
【請求項３】
前記操作部材、前記破砕機構の破砕部材、前記攪拌機構の攪拌部材は、上下方向に延在する共通軸線を有し、
前記操作部材、前記破砕機構の破砕部材、前記攪拌機構の攪拌部材は、前記共通軸線の延在方向に一体的に動作可能、且つ、当該共通軸線を中心に一体的に回転可能に構成されていること、
を特徴とする請求項１又は請求項２に記載の混合食品製造機。
【請求項４】
前記攪拌部材は、前記装置本体に対して着脱可能に構成されていることを特徴とする請求項１から請求項３のいずれか一項に記載の混合食品製造機。
【請求項５】
前記攪拌部材は、前記外部の攪拌可能食品収容容器に収容された前記攪拌可能食品が切削可能な食品である場合に当該食品を切削可能な切削刃を備えていることを特徴とする請求項１から請求項４のいずれか一項に記載の混合食品製造機。
【考案の詳細な説明】
【技術分野】
【０００１】
本考案は、混合食品製造機に関するものである。
【背景技術】
【０００２】
従来、手動回転式調理器として、操作ハンドルを回転させることによって、食品を薄切りするものが知られている。また、混合器として、操作ハンドルを回転させることによって、粘性の高い流動性食品を捏ねるものが知られている。
しかし、手動回転式調理器では、食品を薄切りにすることは可能であるが、例えば、アイスクリームを薄切りにしてトッピング材と混ぜようとする場合、アイスクリームとトッピング材が十分に混ざらないという問題がある。
一方、混合器では、例えば、アイスクリームとトッピング材とを十分に混ぜようとする場合には、トッピング材を小片化しておくと共に、アイスクリームを少しずつ投入しないと、アイスクリームとトッピング材とを十分に混合することができない。
【０００３】
この点、かかる問題点に鑑みなされたもので、第１の食品を小片化することができるとともに、小片化された第１の食品を第２の食品と十分に混ぜ合わせることができる混合食品製造機が提案されている（例えば、特許文献１参照）。
【先行技術文献】
【特許文献】
【０００４】
【特許文献１】特開２０１０−０９４１７８号公報
【考案の概要】
【考案が解決しようとする課題】
【０００５】
ところで、特許文献１に開示された混合食品製造機は、製造機本体内部に、第１の食品を破砕するための破砕室と、小片化された第１の食品と第２の食品とを攪拌する攪拌室とを備えている。そのため、混合食品製造器の構成が複雑で、重量が嵩み、しかも、大型の混合食品製造器となっていた。
このため、小さな子供等が簡易かつ手軽に各種食品の混ぜ合わせを楽しめるような構成になっていなかった。
【０００６】
本考案は、以上のような事情に鑑みてなされたものであり、簡易な構成で軽量且つ小型の混合食品製造機を提供することを目的とするものである。
【課題を解決するための手段】
【０００７】
前記課題を解決するために、本考案の混合食品製造機は、
破砕可能食品を収容可能に構成され破砕食品を底壁開口から下方に排出可能な破砕可能食品収容部が上部に形成され、外部の攪拌可能食品収容容器の上端開口を被覆可能な被覆部が下部に形成された装置本体と、
前記装置本体に装着され、前記破砕可能食品収容部に収容された前記破砕可能食品を破砕可能に構成された破砕機構と、
前記装置本体に装着され、前記被覆部で前記外部の前記攪拌可能食品収容容器の上端開口を被覆した状態で、当該外部の攪拌可能食品収容容器に収容された前記攪拌可能食品と、前記破砕可能食品収容部から排出された前記破砕食品とを攪拌可能な攪拌機構と、
前記破砕機構及び前記攪拌機構を動作させる操作部材と、
を備えていることを特徴としている。
【０００８】
また、請求項２に記載の考案は、請求項１に記載の混合食品製造機において、前記被覆部は、前記攪拌可能食品収容容器の上端開口の縁部に装着可能に構成され、装着状態で当該攪拌可能食品収容容器の上端開口を閉塞する蓋部として構成されていることを特徴としている。
【０００９】
また、請求項３に記載の考案は、請求項１又は請求項２に記載の混合食品製造機において、前記操作部材、前記破砕機構の破砕部材、前記攪拌機構の攪拌部材は、上下方向に延在する共通軸線を有し、
前記操作部材、前記破砕機構の破砕部材、前記攪拌機構の攪拌部材は、前記共通軸線の延在方向に一体的に動作可能、且つ、当該共通軸線を中心に一体的に回転可能に構成されていることを特徴としている。
【００１０】
また、請求項４に記載の考案は、請求項１から請求項３の何れかに記載の混合食品製造機において、前記攪拌部材は、前記装置本体に対して着脱可能に構成されていることを特徴としている。
【００１１】
また、請求項５に記載の考案は、請求項１から請求項４の何れかに記載の混合食品製造機において、前記攪拌部材は、前記外部の攪拌可能食品収容容器に収容された前記攪拌可能食品が切削可能な食品である場合に当該食品を切削可能な切削刃を備えていることを特徴としている。
【考案の効果】
【００１２】
この考案によれば、外部の攪拌可能食品収容容器内で攪拌を行うため、攪拌室を特別に設ける必要がないので、簡素、軽量且つ小型の混合食品製造機が実現できる、との効果を奏する。
【図面の簡単な説明】
【００１３】
【図１】実施形態に係る混合食品製造機の外観斜視図である。
【図２】（Ａ）は、図１の混合食品製造機を示した正面側の分解断面図であり、（Ｂ）は、グリップを裏側から見た図である。
【図３】図１の混合食品製造機を示した正面側の断面図である。
【図４】図１に示す混合食品製造機の装置本体を示した外観斜視図である。
【図５】図１の混合食品製造機を示した図２とは異なる角度から見た断面図である。
【図６】攪拌部材を直上から見た図である。
【図７】（Ａ）は、攪拌部材を水平方向から見た図であり、（Ｂ）は、攪拌部材の軸部の底面を真下から見た図である。
【図８】本実施例における混合食品製造機を用いて食品を攪拌している様子を示している説明図である。
【考案を実施するための最良の形態】
【００１４】
以下、図１から図８を参照しつつ、本考案に係る混合食品製造機の一実施形態について詳細に説明する。
この混合食品製造機は、破砕可能な食品（破砕可能食品）を破砕するとともに、破砕された食品（破砕食品）を攪拌可能な食品（攪拌可能食品）と攪拌混合して混合食品を製造する装置である。ここで、「破砕可能食品」としては、例えば、アーモンド、ピーナッツ、バナナ、ビスケット、固形チョコレートなどの破砕できる食品が挙げられ、また、「攪拌可能食品」としては、アイスクリーム、ゼリー、ヨーグルト、牛乳、液状チョコレートなどなどの攪拌できる食品が挙げられる。
【００１５】
１．混合食品製造機の全体構成
図１は、本実施形態に係る混合食品製造機の外観斜視図であり、図２(Ａ)は、図１の混合食品製造機を示した正面側の分解断面図であり、図３は、図１の混合食品製造機を示した正面側の断面図である。
この混合食品製造機１は、装置本体２、破砕機構４０、攪拌機構５０及び操作部材（グリップ６）を備えている。この混合食品製造機１は、ねじを除いた全ての部品がプラスチックで形成されている。
【００１６】
２．混合食品製造機１の細部構成
（１）装置本体２
装置本体２は、上下が開口したほぼ円筒状の部材であり、上下端が波形状に形成されている。
また、この装置本体２には、筒の上下方向のほぼ中央部に仕切り板２３が設けられており、この仕切り板２３によって、上部の破砕可能食品収容部２１と下部の蓋部２２とに仕切られている。
【００１７】
このうち、破砕可能食品収容部２１は、後述の押圧板４１とともに上室３ａを構成する。この破砕可能食品収容部２１の底壁を構成する仕切り板２３の中央部は開口しており、この開口の縁は上方向に垂直に立ち上がって、筒状軸部２４を形成している。この筒状軸部２４には、後述する攪拌部材５の軸部５２が挿通されている。
また、仕切り板２３には、筒状軸部２４の近くから外周部に向かって放射状に延びる８つのスリット（開口）２５が円周方向に等間隔で形成されている。このスリット２５によって、仕切り板２３の上下が連通されている（図４参照）。
【００１８】
また、蓋部２２は、攪拌可能食品を収容する攪拌可能食品収容容器Ａとともに下室３ｂを構成する。この蓋部２２には、下方に行くほど径が段階的に大きくなるように複数の段部が設けられている。そして、蓋部２２の下端部には、攪拌可能食品収容容器Ａの上端の縁部に嵌合する溝２２ａが形成されている。この蓋部２２は、攪拌可能食品収容容器Ａの上端開口を上方から被覆できるものであれば十分であり、ここで例示したような形に限定されない。例えば、攪拌可能食品収容容器Ａ全体を被覆し、台座として使用できるものであってもよい。
（２）破砕機構４０
仕切り板２３の上面には、各スリット２５の隣に、複数の突起部（歯部）２６がそれぞれ設けられている。この突起部２６は、当該突起部２６に押し付けられた破砕可能食品を破砕する働きをする。この突起部２６は、次に述べる破砕部材４とともに破砕機構４０を構成する。
【００１９】
破砕部材４は、破砕可能食品を仕切り板２３の上面と突起部２６とに押し付ける押圧板４１と、この押圧板４１の中央にある開口の縁から上方向に垂直に立ち上がる筒状軸部４２と、を備えている。
このうち、押圧板４１は、破砕可能食品収容部２１に平面視でちょうど収まる大きさで、破砕可能食品収容部２１に上方から挿入可能となっている。この押圧板４１の外周部には、上方向にほぼ垂直に僅かに立ち上がる起立部４１ａが形成されている。この起立部４１ａは、押圧板４１の外周部の強度を高めるためのものである。また、押圧板４１の下面には、放射方向に延在する送り部４１ｂが円周方向に等間隔で複数（本実施例では２つ）下方に僅かに突出して形成されている。この送り部４１ｂは、破砕部材４を回転させて破砕可能食品を破砕する際に、破砕可能食品を強制的に破砕部材４と供回りさせ、突起部２６に押し付ける働きをする。
また、筒状軸部４２は、下半部の内径が上半部の内径よりも大きくなっている。そして、筒状軸部４２の下半部には装置本体２の筒状軸部２４が内側から嵌合され、上半部にはグリップ６の筒状軸部６１が内側から嵌合されている。なお、筒状軸部４２の上半部と下半部との境界部分の内壁には段部が形成されている。この段部は、筒状軸部２４の上端に当接することで、送り部４１ｂが突起部２６に当接することを防止する働きをする。なお、この筒状軸部４２の上半部と下半部との境界部分に上記段部の箇所を視認できる覗き窓を形成して、当該段部と筒状軸部２４の上端との当接を確認できるようにしてもよい。
【００２０】
（３）攪拌機構５０
攪拌機構５０は、攪拌可能食品収容容器Ａに収容されている攪拌可能食品を攪拌するものであり、攪拌部材５を備えている。この攪拌部材５は、羽根部材５１と、この羽根部材５１を支持する軸部５２とを備えている。
【００２１】
ここで、羽根部材５１は、図３等に示すように、基端部が軸部５２の底にねじを介して結合されている。この羽根部材５１は、図６に示すように、基端部を要とする扇形状の攪拌羽根５１１を備えている。この攪拌羽根５１１は、基端部から外周部近くまでヘリカル状に延在する切り込み部５１１ｃによって区画された、円周方向一端部側の第１の羽根部５１１ａと、円周方向他端部側の第２の羽根部５１１ｂとから構成されている。
すなわち、第１の羽根部５１１ａと第２の羽根部５１１ｂとは第２の羽根部５１１ｂの外周部で互いに結合されているとともに、第１の羽根部５１１ａの第２の羽根部５１１ｂ側の端と、第２の羽根部５１１ｂ側の第１の羽根部５１１ａ側の端とは、ヘリカル状の切り込み部５１１ｃを介して、それぞれ弧状に形成されている。そして、図７(Ａ)に示すように、第２の羽根部５１１ｂの第１の羽根部５１１ａ側の端は、第１の羽根部５１１ａの第２の羽根部５１１ｂ側の端よりも下方に位置し、第２の羽根部５１１ｂの第１の羽根部５１１ａ側の端は切削刃を構成している。なお、図６のＶＩＩ−ＶＩＩ線で沿った断面である図７（Ａ）に示すように、第１の羽根部５１１ａは上記一端部側が高く切り込み部５１１ｃ側が低くなるように下方に向けて膨出するように湾曲し、第２の羽根部５１１ｂは上記他端部側が高く切り込み部５１１ｃ側が低くなるように上方に向けて膨出するように湾曲している。
また、羽根部材５１の基端部の下側には、図７（Ｂ）に示すように、ヘリカル状に延在する４つの突起５１２が形成されている。この突起５１２は、第２の羽根部５１１ｂの第１の羽根部５１１ａ側の端からなる切削刃を一方向に回転させて攪拌可能食品を切削する際に、攪拌可能食品を羽根部材５１の基端部外へ逃がす働きをする。
【００２２】
（４）グリップ６
グリップ６は、図２(Ａ)及び図３に示すように、円環状のグリップ本体６０と筒状軸部６１とを備えている。
このうち、グリップ本体６０は、上方から片手で握れる程度の大きさを有している。このグリップ本体６０の中央には円状の窪み６５が形成されている。この窪み６５は、後述の圧入キャップ７を着座させるためのものである。
また、グリップ本体６０には、窪み６５を間に挟んで対向する位置に、上方及び内周側に向けて開口し且つ平面視で半径方向外方に向けて膨出する形状を有する舌片状の窪み６４が一対形成されている（図１及び図２（Ｂ）参照）。この窪み６４の底壁の上下面と、上記窪み６５の上下面とは面一となっている。
さらに、グリップ本体６０の窪み６５の底壁の中央には円形の開口が形成され、この開口の縁は下方に垂直に垂れ下がり上記筒状軸部６１を構成している。
また、グリップ本体６０には、６つの補強部材６２が円周方向にほぼ等間隔で１つずつ配置されている。これによって、グリップ本体６０と筒状軸部６１の結合を補強している。なお、この補強部材６２は、上記窪み６４と円周方向で干渉しない位置に配置されている。
【００２３】
（５）グリップ６と破砕機構４０との連結
破砕部材４の筒状軸部４２の上端部には、筒状軸部４２の上端に開口し上下方向に延びた６つのスリット４３が円周方向に等間隔で１つずつ形成されている。
そして、グリップ６と破砕部材４との連結は、図５に示すように、破砕部材４の筒状軸部４２にグリップ６の筒状軸部６１を嵌合させるとともに、６つのスリット４３の各々に６つの補強部材６２を１つずつきつく嵌合することによって行われる（図５参照）。これにより、グリップ６の回転に同期して破砕部材４が、回転可能状態となる。一方、グリップ６と破砕部材４との連結解除は、グリップ６と破砕部材４とを上下方向に離間させることによって行われる。
【００２４】
（６）グリップ６と攪拌機構５０との連結
攪拌部材５の軸部５２の上端部は、図２(Ａ)及び図６に示すように、軸方向に直交する外形断面が長円形の軸部５２Ａとなっている。また、軸部５２Ａの上端部の直下部分は、軸方向に直交する外形断面が６角形の軸部５２Ｂとなっている。一方、グリップ６の筒状軸部６１は、図２(Ａ)、(Ｂ)に示すように上記軸部５２Ｂと相補的形状となるように、軸方向に直交する内形断面が６角形となっている。これによって、攪拌部材５の軸部５２はグリップ６の筒状軸部６１に嵌合し、グリップ６と羽根部材５１とは、グリップ６の回転と同期して、軸部５２を中心に回転する構成となる。
また、軸部５２Ａには、図５及び図６に示すように、中心に後述の圧入キャップ７のロッド７１が挿入可能な円穴５４が形成されている。さらに、軸部５２Ａには、図２(Ａ)に示すように、外面が平面となっている２つの壁部分に、当該壁部分の外面から円穴５４に達する深さのＵ字状の切り込みが形成されている。このＵ字状の切り込みによって爪部材５３が画成されている。この爪部材５３の下端部の外面には、外方に向けて突出する爪５３Ａが形成されている。この爪部材５３は、軸部５２Ａに対して爪５３Ａが出没方向に変形可能となるように弾性を有しており、常態で、下端部が円穴５４内に突出し、且つ、爪５３Ａが軸部５２Ａの外面から大きくは突出しない状態となっている。一方、グリップ６の筒状軸部６１には、図２(Ａ)に示すように、攪拌部材５の軸部５２をグリップ６の筒状軸部６１に嵌合した状態で、上記爪部材５３の爪５３Ａに係合可能な係合凹部６３が形成されている。
さらに、この混合食品製造機１は、圧入キャップ７を備えている。この圧入キャップ７は、グリップ６の上記窪み６５に着座可能に構成されている。この圧入キャップ７の外周部には、圧入キャップ７本体の中心を挟んで対峙する部分に弾性変形可能な爪部材７２が垂設されている。この爪部材７２の下端部の外面には、外方に向けて突出する爪７２ａが形成されている。一方、グリップ本体６０の窪み６５の底壁には、図２(Ｂ)に示すように、圧入キャップ７をグリップ６の窪み６５に着座させる際に、爪部材７２が差し込まれる差し込み口６７が形成されている。そして、爪部材７２の爪７２ａは、図３に示すように、圧入キャップ７を窪み６５に着座させた際に差し込み口６７の縁下に係止される（図３参照）。
また、圧入キャップ７の中心にはロッド７１が垂設されている。このロッド７１は、圧入キャップ７を窪み６５に着座させた際に上記軸部５２Ａの円穴５４に圧入可能となっている。そして、ロッド７１は、図５に示すように、圧入キャップ７を窪み６５に着座させた際に上記軸部５２Ａの円穴５４に圧入され、上記爪部材５３の内面側を押圧し、爪部材５３の爪５３Ａを軸部５２Ａの外面から大きく突出させる。これにより、上記爪部材５３の爪５３Ａが係合凹部６３に係合し、グリップ６が引き上げられるとき、攪拌部材５も一緒に引き上げられる構成となる。
このようにして、グリップ６と攪拌部材５とが連結される。一方、グリップ本体６０の舌片状の窪み６４に指を入れて圧入キャップ７を取り外し、攪拌部材５の軸部５２とグリップ６の筒状軸部６１とを上下方向に離間させることでその連結が解除される。
【００２５】
４.混合食品製造機１の使用の一例
ここでは、破砕可能食品としてのあられ菓子を、攪拌可能食品としてのアイスクリームを用いた場合を例として説明する。
図８は、混合食品製造機１の使用状態を示した正面側の断面図である。
まず、アイスクリームが収容された攪拌可能食品収容容器Ａの上端の縁部に装置本体２の溝２２ａを嵌合させる。次に、破砕可能食品収容部２１にあられ菓子を投入する。その後、片方の手で装置本体２を握り、他方の手でグリップ６を下方に押圧しつつ時計回りに回転させる。
このとき、あられ菓子が押圧板４１の直下まで目一杯投入されているものとすれば、破砕可能食品収容部２１と押圧板４１によって画成される上室３ａでは、押圧板４１による押圧によって、あられ菓子同士が擦れたり、あられ菓子が仕切り板２３や突起部２６に押し付けられたりして、あられ菓子が破砕される。そして、この上室３ａで破砕されたあられ菓子の粉粒はスリット２５から下室３ｂに排出される。
同時に、下室３ｂでは、攪拌部材５によってアイスクリームの切削、攪拌が行われる。具体的には、攪拌部材５が回転しながら下方に進み、第２の羽根部５１１ｂの切削刃によってアイスクリームを切削して薄片化してゆく。その際、薄片化されたアイスクリームは、図７に実線で示す矢印の方向に切り込み部５１１ｃを通って、第２の羽根部５１１ｂの上方に押し出され、アイスクリームの上に存在するあられ菓子の粉粒の上に被さる。さらに、攪拌部材５が回転しながら下方に進むと、アイスクリームの薄片が今度は第１の羽根部５１１ａによって切断又はかき混ぜられる。
このようにして、羽根部材５１が攪拌可能食品収容容器Ａの底にまで達したら、今度は、グリップ６を引き上げながら反時計回りに回転させる。すると、第２の羽根部５１１ｂの下に位置するアイスクリームは図７の破線で示した矢印の方向に２分され、あられ菓子の粉粒とアイスクリームとが攪拌され混合される。
このようにして、アイスクリームの一番上まで攪拌部材５を引き上げた後、混合食品製造機１を攪拌可能食品収容容器Ａから取り外す。最後に、攪拌部材５についたアイスクリームをヘラＨで攪拌可能食品収容容器Ａに落とすことで混合食品の製造が終了する。
【００２６】
５. 混合食品製造機１の使用の他例
上記では破砕可能食品収容部２１にあられ菓子を目一杯投入した場合を説明したが、あられ菓子を少量投入する場合には、最初に攪拌部材５によるアイスクリームの薄片化及び攪拌が行われ、その後、この攪拌に加えてあられ菓子の破砕が行われる。
また、破砕可能食品がピーナッツのように硬く、破砕と攪拌を同時に行うことが難しい場合には、混合食品製造機１の装置本体２から攪拌部材５を外し、まず破砕可能食品の破砕を行い、その後、攪拌部材５を装置本体２に装着して攪拌可能食品と破砕食品とを攪拌することによって混合食品を製造することができる。
なお、グリップ６と破砕部材４と攪拌部材５とは、ねじ等によって共通軸の延在方向に螺進可能に構成されていてもよい。
【００２７】
６．実施形態の効果
この混合食品製造機１によれば、次のような効果を得ることができる。
第１に、外部の攪拌可能食品収容容器Ａ内で攪拌を行うため、攪拌室を特別に設ける必要がないので、簡素、軽量且つ小型の混合食品製造機１が実現できる。
第２に、装置本体２を片手で保持しつつ、他方の手でグリップ６を操作すれば、混合食品が製造できる構成となっているので、簡素、軽量且つ小型の混合食品製造機１が実現できる。
第３に、装置本体２の蓋部２２が攪拌可能食品収容容器Ａの上端開口の縁に係合して当該上端開口を覆うので、破砕食品が周囲に飛び散るのを可及的に防止することができる。
第４に、混合食品製造機１は、分解可能となっているので、簡単に洗浄を行い、清潔に保つことが可能である。
第５に、混合食品製造機１は、分解可能となっているので、破砕部材４又は攪拌部材５だけを装置本体２に装着して使用することもできる。
第６に、グリップ６、破砕部材４及び攪拌部材５は、上下方向に延在する共通軸線を有し、グリップ６と破砕部材４と攪拌部材５とが、その共通軸線の軸線方向に一体的に動作可能、且つ、当該共通軸線を中心に一体的に回転可能に構成されているので、構造が簡素となるばかりか、その取り扱いも簡単となる。
第７に、本実施形態において、混合食品製造機１の蓋部２２の形状やサイズ等は特に限定されず、「攪拌可能食品収容容器Ａ」及び「破砕可能食品」が既製品のカップ入りアイスクリームやカップ入りヨーグルトであっても、蓋部２２の形状やサイズ等がこれらカップに取り付け可能なサイズであれば、蓋部２２を直接これらのカップに取り付けることが可能である。このため、別途専用の攪拌可能食品収容容器を用意する必要がなく、アイスクリームなどを別容器に移し変える手間もかからないので便利である。
第８に、本考案の攪拌部材５に設けられた切削刃が鉋と同様の役割を果たすため、ある程度凍っているアイスクリームなどの硬い食材であっても削りながら攪拌することができる。このため、単に攪拌羽根で攪拌するだけの従来技術にはない作用・効果を有している。
【００２８】
７．本考案の変形例
【００２９】
本実施形態では、グリップ６、破砕部材４及び攪拌部材５が、同一軸上に備えられている混合食品製造機１を示したが、本考案はこれに限らず、同一軸上にグリップ６、破砕部材４及び攪拌部材５がないような混合食品製造機１でもよい。
【００３０】
また、本実施形態では、装置本体２に対して破砕部材４と攪拌部材５とが着脱可能な混合食品製造機１を示したが、本考案はこれに限らず、破砕部材４と攪拌部材５とが着脱できないような混合食品製造機１でもよい。
【００３１】
また、本実施形態では、羽根部５１１ｂの一辺が切削刃となっていたが、本考案はこれに限らず、切削刃のない混合食品製造機１でもよい。
【符号の説明】
【００３２】
１      混合食品製造機
２      装置本体
３ａ    上室
３ｂ    下室
４      破砕部材
５      攪拌部材
６      グリップ
２２    蓋部
２２ａ  溝
４０    破砕機構
５０    攪拌機構
【図１】
0003174861.tif 000003
【図２】
0003174861.tif 000004
【図３】
0003174861.tif 000005
【図４】
0003174861.tif 000006
【図５】
0003174861.tif 000007
【図６】
0003174861.tif 000008
【図７】
0003174861.tif 000009
【図８】
0003174861.tif 000010